(57)【要約】【課題】楽曲を再生中に、該楽曲に関する情報（楽曲名，歌手名，作詞者名等）をユーザが知りたいと思う順に表示できるようにした携帯音楽再生端末を提供する。【解決手段】記録部１は、楽曲データ、楽曲データに関する情報を記録し、楽曲データ再生部３は、楽曲データをデコードして再生する。メモリ４は、楽曲データの再生前に、記録部１に記録されている楽曲データに関する情報を（再生終了まで一時的に）記憶する。楽曲データ情報表示順序変更部７は、楽曲データの再生方法に応じて、前記楽曲データに関する情報の表示順序を変更して、楽曲データ情報表示部５に順序変更後の楽曲データに関する情報を表示する。【選択図】図１
2007109346.tif 000002
【特許請求の範囲】
【請求項１】
楽曲データと該楽曲データに関する情報とを記録する記録部と、前記楽曲データを再生する楽曲データ再生部と、楽曲データ再生時に、前記楽曲データ再生部にて再生する楽曲データに関する情報を記憶するメモリと、該メモリに記憶してある楽曲データに関する情報を表示する楽曲データ情報表示部と、該楽曲データ情報表示部にて表示する楽曲データに関する情報の表示順序を、再生方法に応じて変更する表示順序変更部とを備えたことを特徴とする携帯音楽再生端末。
【請求項２】
前記再生方法が、単独のアーティストによって作成されたアルバム内の楽曲データを再生する再生方法で、該再生方法で楽曲データを再生する場合、前記表示順序変更部は、前記楽曲データ情報表示部にて、楽曲名、曲番号の順に表示されるように楽曲データに関する情報の表示順序を変更することを特徴とする請求項１に記載の携帯音楽再生端末。
【請求項３】
前記再生方法が、複数のアーティストによって作成されたアルバム内の楽曲データを再生する再生方法で、該再生方法で楽曲データを再生する場合、前記表示順序変更部は、前記楽曲データ情報表示部にて、楽曲名、アーティスト名の順に表示されるように楽曲データに関する情報の表示順序を変更することを特徴とする請求項１に記載の携帯音楽再生端末。
【請求項４】
前記再生方法が、楽曲データをシャッフル再生する再生方法で、該再生方法で楽曲データを再生する場合、前記表示順序変更部は、前記楽曲データ情報表示部にて、楽曲名、アーティスト名の順に表示されるように楽曲データに関する情報の表示順序を変更することを特徴とする請求項１に記載の携帯音楽再生端末。
【請求項５】
再生終了までに楽曲データに関する情報を全て表示できない場合に、前記楽曲データに関する情報を表示する表示速度を速くするようにしたことを特徴とする請求項１乃至４のいずれかに記載の携帯音楽再生端末。
【請求項６】
前記楽曲データに関する情報は、楽曲名，曲番号，アーティスト名，歌手名，作詞者名，作曲者名，アルバム名のいずれかを含むことを特徴とする請求項１乃至５のいずれかに記載の携帯音楽再生端末。
【発明の詳細な説明】
【技術分野】
【０００１】
本発明は、携帯音楽再生端末、より詳細には、楽曲を再生中に、表示部に表示される該楽曲に関する情報（楽曲名，歌手名，曲番号等）の表示順序を、再生方法に応じて変更できるようにした携帯音楽再生端末に関する。
【背景技術】
【０００２】
特開平５−２９０３８２号公報（特許文献１）には、音楽信号を記録する先頭部に曲（音楽）の情報を音声で記録した音楽記録媒体が記載されている。しかし、この特許文献１に記載の発明においては、曲の情報を音声で記録しているため文字情報に比べてデータ量が大きくなり、記録媒体の容量を圧迫することになる。更には、曲の情報が音声で記録されているため、曲の情報を画面表示することができない。
【０００３】
また、特開平９−１４６５７９号公報（特許文献２）には、ＦＭ音楽を受信して再生する時に、同時に曲名などの情報を受信して表示するＦＭ多重放送受信機（いわゆる見えるラジオ）や、再生したい音楽を指示するとその音楽に関する情報（曲名等）を読み出して表示器に表示する音楽再生装置が記載されている。しかし、この特許文献２に記載の発明においては、音楽に関する情報（曲名等）を表示する際、知っている可能性が大きい情報（例えば、歌手名）が、ユーザが知りたいと思う情報（例えば、曲名）より先に表示される場合があり、ユーザが所望する情報を迅速に知ることができなかった。例えば、シャッフル再生（ランダム再生）している場合には、ユーザは、曲番号（トラック番号）よりも、曲名、アーティスト名について知りたいと思っているのに、曲番号が先に表示され、曲名、アーティスト名が後から表示されることがある。
【０００４】
また、特開２００１−３１２２８８号公報（特許文献３）には、記録媒体に音楽データとして記録されている音楽の歌詞に関する文字情報を読み出すことにより、音楽データを再生するとともに、歌詞（文字情報）を画面表示することが記載されている。しかし、この特許文献３に記載の発明は、音楽データに関する情報を表示するものではなく、音楽の歌詞を表示するものであり、上述したユーザの要望を満たすことができなかった。
【特許文献１】特開平５−２９０３８２号公報
【特許文献２】特開平９−１４６５７９号公報
【特許文献３】特開２００１−３１２２８８号公報
【発明の開示】
【発明が解決しようとする課題】
【０００５】
本発明は、上述のごとき実情に鑑みてなされたもので、携帯音楽再生端末で楽曲を再生中、ユーザが再生中の楽曲データに関する情報（楽曲名，歌手名，曲番号等）を知りたい時に、再生方法に応じて、再生中の楽曲データに関する情報（楽曲名，歌手名，曲番号等）の表示順序を変更できるようにした携帯音楽再生端末を提供することを目的とする。
【課題を解決するための手段】
【０００６】
第１の技術手段は、楽曲データと該楽曲データに関する情報とを記録する記録部と、前記楽曲データを再生する楽曲データ再生部と、楽曲データ再生時に、前記楽曲データ再生部にて再生する楽曲データに関する情報を記憶するメモリと、該メモリに記憶してある楽曲データに関する情報を表示する楽曲データ情報表示部と、該楽曲データ情報表示部にて表示する楽曲データに関する情報の表示順序を、再生方法に応じて変更する表示順序変更部とを備えたことを特徴とするものである。
【０００７】
第２の技術手段は、第１の技術手段において、前記再生方法が、単独のアーティストによって作成されたアルバム内の楽曲データを再生する再生方法で、該再生方法で楽曲データを再生する場合、前記表示順序変更部は、前記楽曲データ情報表示部にて、楽曲名、曲番号の順に表示されるように楽曲データに関する情報の表示順序を変更することを特徴とするものである。
【０００８】
第３の技術手段は、第１の技術手段において、前記再生方法が、複数のアーティストによって作成されたアルバム内の楽曲データを再生する再生方法で、該再生方法で楽曲データを再生する場合、前記表示順序変更部は、前記楽曲データ情報表示部にて、楽曲名、アーティスト名の順に表示されるように楽曲データに関する情報の表示順序を変更することを特徴とするものである。
【０００９】
第４の技術手段は、第１の技術手段において、前記再生方法が、楽曲データをシャッフル再生する再生方法で、該再生方法で楽曲データを再生する場合、前記表示順序変更部は、前記楽曲データ情報表示部にて、楽曲名、アーティスト名の順に表示されるように楽曲データに関する情報の表示順序を変更することを特徴とするものである。
【００１０】
第５の技術手段は、第１乃至４の技術手段のいずれかにおいて、再生終了までに楽曲データに関する情報を全て表示できない場合に、前記楽曲データに関する情報を表示する表示速度を速くするようにしたことを特徴とするものである。
【００１１】
第６の技術手段は、第１乃至５の技術手段のいずれかにおいて、前記楽曲データに関する情報は、楽曲名，曲番号，アーティスト名，歌手名，作詞者名，作曲者名，アルバム名のいずれかを含むことを特徴とするものである。
【発明の効果】
【００１２】
本発明によると、携帯音楽再生端末で楽曲を再生中、再生中の楽曲データに関する情報（楽曲名，歌手名，曲番号等）を表示でき、さらに、再生方法に応じて、再生中の楽曲データに関する情報（楽曲名，歌手名，曲番号等）の表示順次を変更して表示するようにしたので、ユーザは知りたいと思う楽曲データ（再生中）に関する情報を迅速に知ることができる。
【発明を実施するための最良の形態】
【００１３】
（実施例１）
図１は、本発明による携帯音楽再生端末の実施例を説明するための要部概略構成を示すブロック図で、図中、１０は本発明による携帯音楽再生端末で、該携帯音楽再生端末１０は、楽曲データ、楽曲データに関する情報（楽曲名，歌手名，曲番号等）を記録する記録部１、記録部１に記録された楽曲データの再生を指示する楽曲データ再生指示部２、楽曲データ再生指示部２の指示により記録部１に記録してある楽曲データをデコードして再生する楽曲データ再生部３、楽曲データに関する情報を記憶するメモリ４、楽曲データに関する情報を表示する楽曲データ情報表示部５、操作ボタン等により構成されメモリ４に記録された楽曲データに関する情報の表示処理を開始するように指示する楽曲データ情報表示指示部６、楽曲データに関する情報の表示順序を変更する楽曲データ情報表示順序変更部７等から構成される。
【００１４】
記録部１には、楽曲データ、楽曲データに関する情報がＭＰ３（ＭＰＥＧ  Ａｕｄｉｏ  Ｌａｙｅｒ−３）形式などのデジタルデータとして記録されている。ＭＰ３データ（ファイル）を記録部１に記録している場合、楽曲データは、ＭＰ３データ（ファイル）のオーディオデータ部に該当し、楽曲データに関する情報は、ＭＰ３データ（ファイル）のＩＤ３タグ（ＩＤ３  ｔａｇ）に該当する。そして、楽曲データの再生前に、記録部１に記録されている楽曲データに関する情報をメモリ４に（再生終了まで一時的に）記憶する。楽曲データに関する情報には、楽曲名，歌手名，作詞者名，作曲者名，曲番号，アルバム名，アーティスト名等があり、メモリ４に文字情報（テキスト情報）として記憶される。
【００１５】
楽曲データ情報表示指示部６は、ボタン等によって構成してもよく、この場合、ユーザがボタンを押下すると表示処理が始まる。また、動きセンサ（加速度センサなど）によって構成した場合には、ユーザが携帯音楽再生端末１０を揺り動かすことによって、表示処理が始まる。
【００１６】
楽曲データ情報表示順序変更部７は、再生方法に応じて、前記楽曲データに関する情報（楽曲名，歌手名，曲番号等）の表示順序を変更する。再生方法には、単独のアーティストによって作成されたアルバム内の楽曲データを再生する単独アーティストのアルバム再生と、複数のアーティストによって作成されたアルバム内の楽曲データを再生する複数アーティストのアルバム再生と、楽曲データをシャッフルして再生するシャッフル再生（ランダム再生）とがある。なお、楽曲データがＭＰ３（ＭＰＥＧ  Ａｕｄｉｏ  Ｌａｙｅｒ−３）形式などのデジタルデータの場合、ＭＰ３データ（ファイル）のＩＤ３タグ（ＩＤ３  ｔａｇ）を参照して、再生中の楽曲データが単独アーティストのアルバム内の楽曲データか又は複数アーティストのアルバム内の楽曲データか否かということを知ることができる。また、シャッフル再生の場合には、ユーザがシャッフル再生モードを選択して楽曲データを再生するので、現在の再生モード（シャッフル再生かシャッフル再生ではないか）を参照して、シャッフル再生か否かということを判定することが出来る。
【００１７】
単独のアーティストによって作成されたアルバム内の楽曲データを再生する場合（単独アーティストのアルバム再生）、楽曲データ情報表示部５に、楽曲名（タイトル名）、曲番号（トラック番号）、その他の楽曲データに関する情報（アルバム名、アーティスト名等）の順に表示されるように楽曲データに関する情報の表示順序を変更する。
【００１８】
また、複数のアーティストによって作成されたアルバム内の楽曲データを再生する場合（複数アーティストのアルバム再生）、楽曲データ情報表示部５に、楽曲名（タイトル名）、アーティスト名、その他の楽曲データに関する情報（アルバム名、曲番号等）の順に表示されるように楽曲データに関する情報の表示順序を変更する。
【００１９】
また、楽曲データをシャッフルして再生するシャッフル再生（ランダム再生）の場合、楽曲データ情報表示部５に、楽曲名（タイトル名）、アーティスト名、その他の楽曲データに関する情報（アルバム名、曲番号等）の順に表示されるように楽曲データに関する情報の表示順序を変更する。
【００２０】
図２は、楽曲データに関する情報（楽曲名，歌手名，曲番号等）が楽曲データ情報表示部５にて表示される様子を模式的に示した図で、タイトル名が、”あいうえお”という楽曲データを再生中、楽曲データ情報表示指示部６の指示によりタイトル名の表示処理が開始されると、図２（Ａ），（Ｂ）に示すように、右から左に文字列（タイトル名：あいうえお）がスクロール表示される。
【００２１】
図３は、再生方法に応じて、楽曲データに関する情報の表示順序を変更して表示する処理を説明するためのフロー図で、楽曲データ情報表示指示部６から楽曲データに関する情報の表示指示がある場合（ステップＳ１にてＹＥＳ）、再生中の楽曲データがアルバム内の楽曲データか判定する（ステップＳ２）。
【００２２】
再生中の楽曲データがアルバム内の楽曲データの場合（ステップＳ２にてＹＥＳ）、アルバムが単独のアーティストによって作成されたアルバムか判定し（ステップＳ３）、アルバムが単独のアーティストによって作成されたアルバムの場合（ステップＳ３にてＹＥＳ）、楽曲名（タイトル名）、曲番号（トラック番号）の順に楽曲データ情報表示部５に表示されるように楽曲データ情報表示順序変更部７で楽曲データに関する情報の表示順序を変更し、楽曲データ情報表示部５に表示する（ステップＳ４）。
【００２３】
再生中の楽曲データがアルバム内の楽曲データではない場合（ステップＳ２にてＮＯ）、再生中の楽曲データがシャッフル再生（ランダム再生）か判定し（ステップＳ５）、再生中の楽曲データがシャッフル再生の場合（ステップＳ５にてＹＥＳ）、楽曲名（タイトル名）、アーティスト名の順に楽曲データ情報表示部５に表示されるように楽曲データ情報表示順序変更部７で楽曲データに関する情報の表示順序を変更し、楽曲データ情報表示部５に表示する（ステップＳ６）。
【００２４】
また、再生中の楽曲が、単独のアーティストによって作成されたアルバム内の楽曲データではない場合（ステップＳ３にてＮＯ）、楽曲名（タイトル名）、アーティスト名の順に楽曲データ情報表示部５に表示されるように楽曲データ情報表示順序変更部７で楽曲データに関する情報の表示順序を変更し、楽曲データ情報表示部５に表示する（ステップＳ６）。再生中の楽曲データがシャッフル再生ではない場合（ステップＳ５にてＮＯ）、楽曲データに関する情報の表示順序を変更せず表示する（ステップＳ７）。なお、楽曲データに関する情報を文字情報によって表示したが、同一内容の情報を音声によって伝達してもよい。
【００２５】
?（実施例２）
図４は、本発明による携帯音楽再生端末の他の実施例を説明するための要部概略構成を示すブロック図で、図中、１０は本発明による携帯音楽再生端末で、該携帯音楽再生端末１０は、記録部１、楽曲データ再生指示部２、楽曲データ再生部３、メモリ４、楽曲データ情報表示部５、楽曲データ情報表示指示部６、楽曲データ情報表示順序変更部７、楽曲データ情報表示速度算出部８等から構成される。楽曲データ情報表示速度算出部８は、楽曲データ情報表示部５にて、楽曲データの再生終了までに楽曲データに関する情報を全て表示できない場合に、楽曲データの再生終了までに前記楽曲データに関する情報を表示できる表示速度を算出する。そして、算出した表示速度に基づいて、楽曲データ情報表示部５にて、楽曲データに関する情報を表示（スクロール表示）する。
【００２６】
図５は、楽曲データの再生終了までに楽曲データに関する情報を全て表示することができない場合に、表示速度（スクロール表示速度）を上げて楽曲データの再生が終了するまでに前記楽曲データに関する情報を表示する処理を説明するためのフロー図であり、楽曲データの再生が終了するまでの時間を算出し（ステップＳ１１）、同時に、表示しようとする楽曲データに関する情報の文字数を算出する（ステップＳ１２）。例えば、表示しようとする楽曲データに関する情報が”タイトル名：あいうえお  トラック番号：０１  アーティスト名：ＡＢＣＤ”の場合、文字数は３４文字（空白文字を含む）となる。
【００２７】
楽曲データの再生が終了するまでに楽曲データに関する情報を全て表示できるか判定する（ステップＳ１３）。例えば、表示しようとする楽曲データに関する情報（前述の例では、空白文字を含めて３４文字）を、１秒に１文字ずつスクロール表示するとき（文字表示速度が１（文字／秒））、楽曲データの再生終了までの時間が３４秒以上の場合には、楽曲データの再生終了までに楽曲データに関する情報を全て表示できると判定され（ステップＳ１３にてＹＥＳ）、現時点で設定されている文字表示速度（１（文字／秒））で楽曲データに関する情報を楽曲データ情報表示部５に表示する（ステップＳ１４）。
【００２８】
一方、楽曲データの再生終了までの時間が３４秒未満の場合には、楽曲データの再生終了までに楽曲データに関する情報を全て表示できないと判定され（ステップＳ１３にてＮＯ）、再生が終了するまでに前記楽曲データに関する情報を表示できる文字表示速度を楽曲データ情報表示速度算出部８にて算出する（ステップＳ１５）。表示しようとする楽曲データに関する情報（前述の例では、空白文字を含めて３４文字）で、楽曲データの再生終了までの時間が１７秒の場合、再生が終了するまでに前記楽曲データに関する情報を表示できる文字表示速度は、２（文字／秒）となる（３４（文字）／１７（秒））。
【００２９】
算出した文字表示速度にて楽曲データに関する情報を楽曲データ情報表示部５に表示する（ステップＳ１６）。なお、算出した文字表示速度が所定速度を超過する場合には、表示しないか、該所定速度にて再生が終了するまで表示するか、更には、楽曲データの再生が終了した後であっても該楽曲データに関する情報を表示し続けるようにしてもよい。なお、前記所定速度とは、スクロール表示される楽曲データに関する情報（楽曲名，アーティスト名等）を読み取ることができる最高速度をいう。なお、以上には、楽曲データに関する情報を文字情報によって表示したが、同一内容の情報を音声によって伝達してもよい。
【図面の簡単な説明】
【００３０】
【図１】本発明による携帯音楽再生端末の実施例を説明するための要部概略構成を示すブロック図である。
【図２】楽曲データに関する情報が表示される様子を模式的に示した図である。
【図３】楽曲データに応じて、楽曲データに関する情報の表示順序を変更して表示する処理を説明するためのフロー図である。
【図４】本発明による携帯音楽再生端末の他の実施例を説明するための要部概略構成を示すブロック図である。
【図５】表示速度を上げて楽曲データに関する情報を表示する処理を説明するためのフロー図である。
【符号の説明】
【００３１】
１…記録部、２…楽曲データ再生指示部、３…楽曲データ再生部、４…メモリ、５…楽曲データ情報表示部、６…楽曲データ情報表示指示部、７…楽曲データ情報表示順序変更部、８…楽曲データ情報表示速度算出部、１０…携帯音楽再生端末。
【図１】
2007109346.tif 000003
【図２】
2007109346.tif 000004
【図３】
2007109346.tif 000005
【図４】
2007109346.tif 000006
【図５】
2007109346.tif 000007